(57)【要約】【課題】操作キーやメニュー操作手順等を増やすことなく、簡単な操作でテレビ通話と音声通話の選択などを可能にする。【解決手段】携帯テレビ電話装置１の制御部１２は、待ち受け中に、利用者により外部入力部１６を用いて相手先電話番号が設定され、発呼操作のために外部入力部１６の一部である通話開始キーが押下されたことを認識すると、規定時間以上通話開始キーが押下されているかどうかを時間計測部１３を用いて判断し、呼制御部１１を制御する。ここで、規定時間以上押下されている場合はテレビ通話呼で発呼してテレビ通話を開始し、そうでない場合は音声通話呼で発呼して音声通話を開始する。【選択図】  図１
2004260299.tif 000002
【特許請求の範囲】
【請求項１】
音声通話用の無線通信と、音声と動画像を含むテレビ通話用の無線通信とが可能な無線通信手段を有する携帯テレビ電話装置であって、
当該装置の操作入力を行うための操作入力手段と、
前記無線通信手段による発呼時に、前記操作入力手段における通話開始キーの押下時間を検出するキー押下時間検出手段と、
前記キー押下時間検出手段の検出結果により、音声通話を行うか或いは、テレビ通話を行うかを切り換える通信制御手段と、
を備えた携帯テレビ電話装置。
【請求項２】
前記通信制御手段は、前記キー押下時間検出手段の検出結果により、前記音声通話を行うか或いは、前記テレビ通話を行うかを切り換え、更に前記テレビ通話を行う場合の伝送速度を切り換える請求項１に記載の携帯テレビ電話装置。
【請求項３】
音声通話用の無線通信と、音声と動画像を含むテレビ通話用の無線通信とが可能な無線通信手段を有する携帯テレビ電話装置であって、
当該装置の操作入力を行うための操作入力手段と、
前記無線通信手段による発呼時に、前記操作入力手段における通話開始キーの規定時間内の押下回数を検出するキー押下回数検出手段と、
前記キー押下回数検出手段の検出結果により、音声通話を行うか或いは、テレビ通話を行うかを切り換える通信制御手段と、
を備えた携帯テレビ電話装置。
【請求項４】
前記通信制御手段は、前記キー押下回数検出手段の検出結果により、前記音声通話を行うか或いは、前記テレビ通話を行うかを切り換え、更に前記テレビ通話を行う場合の伝送速度を切り換える請求項３に記載の携帯テレビ電話装置。
【請求項５】
音声と動画像を含むテレビ通話用の無線通信が可能な無線通信手段を有する携帯テレビ電話装置であって、
当該装置の操作入力を行うための操作入力手段と、
前記無線通信手段によるテレビ通話着信時に、前記操作入力手段における通話開始キーの押下時間を検出するキー押下時間検出手段と、
前記キー押下時間検出手段の検出結果により、音声と動画像の両方を送受信するモードにするか或いは、音声と動画像の両方を受信しかつ音声のみを送信するモードにするかを切り換える通信制御手段と、
を備えた携帯テレビ電話装置。
【請求項６】
音声と動画像を含むテレビ通話用の無線通信が可能な無線通信手段を有する携帯テレビ電話装置であって、
当該装置の操作入力を行うための操作入力手段と、
前記無線通信手段によるテレビ通話着信時に、前記操作入力手段における通話開始キーの規定時間内の押下回数を検出するキー押下回数検出手段と、
前記キー押下回数検出手段の検出結果により、音声と動画像の両方を送受信するモードにするか或いは、音声と動画像の両方を受信しかつ音声のみを送信するモードにするかを切り換える通信制御手段と、
を備えた携帯テレビ電話装置。
【請求項７】
音声と動画像を含むテレビ通話用の無線通信が可能な無線通信手段を有する携帯テレビ電話装置であって、
当該装置の操作入力を行うための操作入力手段と、
前記無線通信手段によるテレビ通話時に、前記操作入力手段における通話開始キーの押下を検出するキー押下検出手段と、
前記通話開始キーの押下を検出したときの設定が音声と動画像の両方を送受信するモードであれば、音声と動画像の両方を受信しかつ音声のみを送信するモードに切り換え、前記通話開始キーの押下を検出したときの設定が音声と動画像の両方を受信しかつ音声のみを送信するモードであれば、音声と動画像の両方を送受信するモードに切り換える通信制御手段と、
を備えた携帯テレビ電話装置。
【発明の詳細な説明】
【０００１】
【発明の属する技術分野】
本発明は、通話方法として音声通話とテレビ通話のいずれかを選択可能な携帯テレビ電話装置に関する。
【０００２】
【従来の技術】
データ転送速度の速い第３世代携帯電話サービスが開始され、携帯電話装置での通話は、音声のみの通信だけでなく、音声に加え動画像をも通信できるテレビ通話が行われるようになった。
【０００３】
テレビ通話は第３世代携帯電話サービスのデータ転送速度を有効に活用できるキラーアプリケーションとして注目されており、利用者へ第３世代携帯電話サービスの魅力を訴求するためにテレビ通話機能を前面に押し出している製品は多い。しかし、これらの携帯テレビ電話装置では、これまでの一般的な音声通話のみの電話装置では必要がなかった音声通話とテレビ通話のいずれを用いるかを選択するための操作手段が必要になる。
【０００４】
固定通信網を用いたテレビ電話装置では、音声通話とテレビ通話それぞれの通話に対応する操作手段を設け、利用者が通話開始時に音声通話かテレビ通話いずれかに対応する操作手段を選択操作することで、音声通話を行うか或いはテレビ通話を行うかの選択処理と通話開始処理を同時に行うようにしたものがある（例えば、特許文献１参照）。
【０００５】
また、他の従来例としては、キーの機能を状況に応じて変化させ、液晶表示画面のキーの位置と対応する位置か、直感的に結びつけることが可能な位置に各キーの現在の機能を表示させるソフトキーと呼ばれる手法を用いることで、音声通話を行うのか或いはテレビ通話を行うのかの選択操作を実現しているものもある。具体的には、通話開始に用いるキーを単純に押下するだけのキーでは無く、押下及び方向の入力が可能なキーとし、方向入力の操作で音声通話かテレビ通話かを選択すると共に、現在の選択状況を画面上に表示し、キー押下により通話開始処理を開始する構成としている。また、通話開始操作時のカメラ部の操作状態により、音声通話かテレビ通話かを選択する構成を採るものもある。
【０００６】
【特許文献１】
特許第３３０２０５号公報  （第２−３頁、第１図）
【０００７】
【発明が解決しようとする課題】
上述したように、従来のテレビ電話装置や携帯テレビ電話装置では、発信時に音声通話を用いるか或いは、テレビ通話を用いるかを選択して通話するために、音声通話のみの携帯電話では必要がなかったキーやメニュー操作等を設けている。また、テレビ通話着信時にカメラから入力する動画像は送信せずに、音声だけで通話したい場合等にも同様のキー若しくはメニュー操作を動画像送信のオン／オフの選択に用いている。しかし、このようなキーの増加は、携帯型端末の小型化及び低価格化を阻害する要因となり、更に、メニュー操作等による選択機能の追加は、利用者が発信時に必要な操作の複雑化を招く恐れがある。
【０００８】
本発明は、上記課題を解決するためになされたもので、その目的は、操作キーやメニュー操作手順等を増やすことなく、簡単な操作でテレビ通話と音声通話の選択、動画像の送信の有無の選択などを行って通話することが可能な携帯テレビ電話装置を提供することにある。
【０００９】
【課題を解決するための手段】
本発明に係る携帯テレビ電話装置は、第１の構成として、音声通話用の無線通信と、音声と動画像を含むテレビ通話用の無線通信とが可能な無線通信手段を有する携帯テレビ電話装置であって、当該装置の操作入力を行うための操作入力手段と、前記無線通信手段による発呼時に、前記操作入力手段における通話開始キーの押下時間を検出するキー押下時間検出手段と、前記キー押下時間検出手段の検出結果により、音声通話を行うか或いは、テレビ通話を行うかを切り換える通信制御手段と、を備えたものである。
【００１０】
上記構成では、発呼時に、利用者が通話開始キーを例えば短く押すと、音声通話用の呼で無線通信を開始し、例えば長く押すと、テレビ電話用の呼で無線通信を開始するように携帯テレビ電話装置の通信モードが切り換わるようにできる。これにより、待ち受け中に通話開始キーを操作することによって、キーやメニュー操作手順等を増やすことなく、テレビ通話を行うか或いは、音声通話を行うかを簡単な操作で容易に選択して設定することが可能となる。
【００１１】
また、第２の構成として、前記通信制御手段は、前記キー押下時間検出手段の検出結果により、前記音声通話を行うか或いは、前記テレビ通話を行うかを切り換え、更に前記テレビ通話を行う場合の伝送速度を切り換えるものとする。
【００１２】
上記構成では、発呼時に、利用者が通話開始キーを例えば１秒未満押すと、発呼時に音声通話用の呼で無線通信を開始し、例えば１秒以上２秒未満押すと、発呼時に３２ｋｂｐｓの速度を有するテレビ電話用の呼で無線通信を開始し、例えば２秒以上押すと、６４ｋｂｐｓの速度を有するテレビ電話用の呼で無線通信を開始するように携帯テレビ電話装置の通信モードが切り換わるようにできる。これにより、待ち受け中に通話開始キーを操作することによって、音声通話とテレビ通話を切り換えるだけでなく、テレビ通話時の伝送速度も簡単な操作で切り換えることが可能となる。
【００１３】
本発明に係る携帯テレビ電話装置は、第３の構成として、音声通話用の無線通信と、音声と動画像を含むテレビ通話用の無線通信とが可能な無線通信手段を有する携帯テレビ電話装置であって、当該装置の操作入力を行うための操作入力手段と、前記無線通信手段による発呼時に、前記操作入力手段における通話開始キーの規定時間内の押下回数を検出するキー押下回数検出手段と、前記キー押下回数検出手段の検出結果により、音声通話を行うか或いは、テレビ通話を行うかを切り換える通信制御手段と、を備えたものである。
【００１４】
上記構成では、発呼時に、利用者が通話開始キーを例えば規定時間内に１回押すと、音声通話用の呼で無線通信を開始し、例えば規定時間内に２回押すと、テレビ電話用の呼で無線通信を開始するように携帯テレビ電話装置の通信モードが切り換わるようにできる。これにより、待ち受け中に通話開始キーを操作することによって、キーやメニュー操作手順等を増やすことなく、テレビ通話を行うか或いは、音声通話を行うかを簡単な操作で容易に選択して設定することが可能となる。
【００１５】
また、第４の構成として、前記通信制御手段は、前記キー押下回数検出手段の検出結果により、前記音声通話を行うか或いは、前記テレビ通話を行うかを切り換え、更に前記テレビ通話を行う場合の伝送速度を切り換えるものとする。
【００１６】
上記構成では、発呼時に、利用者が通話開始キーを例えば規定時間内に１回押すと、発呼時に音声通話用の呼で無線通信を開始し、例えば規定時間内に２回押すと、発呼時に３２ｋｂｐｓの速度を有するテレビ電話用の呼で無線通信を開始し、例えば規定時間内に３回押すと、６４ｋｂｐｓの速度を有するテレビ電話用の呼で無線通信を開始するように携帯テレビ電話装置の通信モードが切り換わるようにできる。これにより、待ち受け中に通話開始キーを操作することによって、音声通話とテレビ通話を切り換えるだけでなく、テレビ通話時の伝送速度も簡単な操作で切り換えることが可能となる。
【００１７】
本発明に係る携帯テレビ電話装置は、第５の構成として、音声と動画像を含むテレビ通話用の無線通信が可能な無線通信手段を有する携帯テレビ電話装置であって、当該装置の操作入力を行うための操作入力手段と、前記無線通信手段によるテレビ通話着信時に、前記操作入力手段における通話開始キーの押下時間を検出するキー押下時間検出手段と、前記キー押下時間検出手段の検出結果により、音声と動画像の両方を送受信するモードにするか或いは、音声と動画像の両方を受信しかつ音声のみを送信するモードにするかを切り換える通信制御手段と、を備えたものである。
【００１８】
上記構成では、テレビ通話着信時に、利用者が通話開始キーを例えば短く押すと、音声と動画像の両方を受信しかつ音声のみを送信する無線通信を行い、例えば長く押すと、音声と動画像の両方を送受信する無線通信を行うように携帯テレビ電話装置の通信モードが切り換わるようにできる。これにより、テレビ通話着信時に通話開始キーを操作することによって、キーやメニュー操作手順等を増やすことなく、音声と動画像の両方を送受信するか或いは、音声と動画像の両方を受信しかつ音声のみを送信するモードにするかを容易に選択して切り換えることが可能となる。
【００１９】
本発明に係る携帯テレビ電話装置は、第６の構成として、音声と動画像を含むテレビ通話用の無線通信が可能な無線通信手段を有する携帯テレビ電話装置であって、当該装置の操作入力を行うための操作入力手段と、前記無線通信手段によるテレビ通話着信時に、前記操作入力手段における通話開始キーの規定時間内の押下回数を検出するキー押下回数検出手段と、前記キー押下回数検出手段の検出結果により、音声と動画像の両方を送受信するモードにするか或いは、音声と動画像の両方を受信しかつ音声のみを送信するモードにするかを切り換える通信制御手段と、を備えたものである。
【００２０】
上記構成では、テレビ通話着信時に、利用者が通話開始キーを例えば１回押すと、音声と動画像の両方を受信しかつ音声のみを送信する無線通信を行い、例えば２回押すと、音声と動画像の両方を送受信する無線通信を行うように携帯テレビ電話装置の通信モードが切り換わるようにできる。これにより、テレビ通話着信時に通話開始キーを操作することによって、キーやメニュー操作手順等を増やすことなく、音声と動画像の両方を送受信するか或いは、音声と動画像の両方を受信しかつ音声のみを送信するモードにするかを容易に選択して切り換えることが可能となる。
【００２１】
本発明に係る携帯テレビ電話装置は、第７の構成として、音声と動画像を含むテレビ通話用の無線通信が可能な無線通信手段を有する携帯テレビ電話装置であって、当該装置の操作入力を行うための操作入力手段と、前記無線通信手段によるテレビ通話時に、前記操作入力手段における通話開始キーの押下を検出するキー押下検出手段と、前記通話開始キーの押下を検出したときの設定が音声と動画像の両方を送受信するモードであれば、音声と動画像の両方を受信しかつ音声のみを送信するモードに切り換え、前記通話開始キーの押下を検出したときの設定が音声と動画像の両方を受信しかつ音声のみを送信するモードであれば、音声と動画像の両方を送受信するモードに切り換える通信制御手段と、を備えたものである。
【００２２】
上記構成では、テレビ通話用の呼で無線通信を行っている際に、利用者が通話開始キーを押下した時、その時の設定が音声と動画像の両方を送受信するモードであれば、音声と動画像の両方を受信しかつ音声のみを送信するモードに切り換え、通話開始キーを押下した時、その時の設定が音声と動画像の両方を受信しかつ音声のみを送信するモードであれば、音声と動画像の両方を送受信するモードに切り換えるようにできる。これにより、テレビ通話呼で通信中に通話開始キーを操作することによって、通話開始キーの操作された時の設定が音声と動画像の両方を送受信するモードであれば、音声と動画像の両方を受信しかつ音声のみを送信するモードに切り換え、前記通話開始キーの操作された時の設定が音声と動画像の両方を受信しかつ音声のみを送信するモードであれば、音声と動画像の両方を送受信するモードに切り換えることが可能となる。
【００２３】
【発明の実施の形態】
以下、図面を参照して本発明の実施形態を説明する。
（第１実施形態）
図１は、本発明の第１実施形態に係る携帯テレビ電話装置の構成を示したブロック図である。
【００２４】
本実施形態に係る携帯テレビ電話装置１は、無線通信部１０と、呼制御部１１と、制御部１２と、時間計測部１３と、音声処理部１４と、動画像処理部１５と、外部入力部１６と、音声出力部１７と、音声入力部１８と、画像表示部１９と、撮像部２０とを備えて構成されている。
【００２５】
以下、本実施形態の携帯テレビ電話装置１が有する各構成要素について説明する。無線通信部１０は、テレビ通話を行うときにはテレビ通話用の呼で基地局と無線通信を行い、音声通話を行うときには音声通話用の呼で基地局と無線通信を行うものである。また、呼制御部１１は、無線通信部１０を制御したり、通話相手に送信する符号化された音声データや動画データを制御部１２から入力して無線通信部１０へ送出したり、通話相手の符号化された音声データや動画データを無線通信部１０から入力して制御部１２へ送出したりするものである。
【００２６】
制御部１２は、携帯テレビ電話１全体を制御するものであり、呼制御部１１と、音声処理部１４或いは動画像処理部１５との間で、符号化された音声データや動画像データの伝送を行うものである。なお、呼制御部１１及び制御部１２はＣＰＵやＤＳＰ等のプロセッサ及び記憶素子等からなり、その基本動作はソフトウェアにより制御されている。時間計測部１３は、制御部１２が時間計測を必要とする処理を行う場合に時間を計測するものである。
【００２７】
音声処理部１４は、制御部１２から入力した符号化された音声データを復号化して音声出力部１７に送出したり、音声入力部１８から入力した利用者の通話音声を符号化して制御部１２へ伝送したりするものである。また、動画像処理部１５は、制御部１２から受信した通話相手の符号化された動画像データを復号化して画像表示部１９に送出したり、撮像部２０から受信した利用者の動画像を符号化して制御部１２へ伝送したりするものである。外部入力部１６は、利用者が携帯テレビ電話１を操作するものであり、例えば、キー操作入力部により構成される。
【００２８】
更に、音声出力部１７は、音声処理部１４からの音声データを音として出力するものであり、例えば、レシーバにより構成される。音声入力部１８は、利用者或いは周囲の音声を集音して得た音声データを音声処理部１４に入力するものであり、例えば、マイクにより構成される。画像表示部１９は、動画像処理部１５からの動画データを画像として表示するものであり、例えば、液晶ディスプレイにより構成される。撮像部２０は、利用者或いは周囲の動画像を撮影して得た動画データを動画像処理部１５に送出するものであり、例えば、ＣＣＤカメラにより構成される。
【００２９】
次に、上記のように構成された本実施形態の携帯テレビ電話装置１の発信時の動作について説明する。図２は第１実施形態の携帯テレビ電話装置の発信動作手順（第１例）を示したフローチャートであり、以下、このフローチャートを参照して第１例の動作を説明する。
【００３０】
この第１例では、前記外部入力部１６の一部である通話開始キー（図示せず）を規定時間（例えば２秒）以上押下すると、テレビ通話を行い、２秒未満の押下の場合は音声通話を行うように設定してあるものとする。
【００３１】
携帯テレビ電話装置１の制御部１２は、待ち受け中に（ステップＳ２００）、利用者により外部入力部１６を用いて相手先電話番号が設定され（ステップＳ２０１）、発呼操作のために前記外部入力部１６の一部である通話開始キーが押下されたかを判断する（ステップＳ２０２）。通話開始キーが押下されると、制御部１２は２秒以上押下されているかどうかを時間計測部１３を用いて判断する（ステップＳ２０３）。ここで、通話開始キーが２秒以上押下されている場合はテレビ通話呼で発呼し（ステップＳ２０４）、そうでない場合は音声通話呼で発呼する（ステップＳ２０５）。
【００３２】
なお、相手先電話番号の設定（ステップＳ２０１）と、通話開始キーの操作及びその押下時間の判定（ステップＳ２０２及びステップＳ２０３）の順序は、逆でも良い。
【００３３】
図３は第１実施形態の携帯テレビ電話装置の発信動作手順（第２例）を示したフローチャートであり、以下、このフローチャートを参照して第２例の動作を説明する。
【００３４】
この第２例では、通話開始キーを規定時間（例えば２秒）以内に規定回数（例えば２回）以上押下するとテレビ通話を行い、最初に押下されてから２秒以内に２回目以降の押下操作が無い場合は音声通話を行うように設定してあるものとする。
【００３５】
携帯テレビ電話装置１の制御部１２は、待ち受け中に（ステップＳ３００）、利用者により外部入力部１６を用いて相手先電話番号が設定され（ステップＳ３０１）、発呼操作のために前記外部入力部１６の一部である通話開始キーが押下されたかを判断する（ステップＳ３０２）。通話開始キーが押下されると、制御部１２は２秒以内に２回目の押下操作があったかどうかを時間計測部１３を用いて判断する（ステップＳ３０３）。ここで、２秒以内に２回目の押下操作があった場合はテレビ通話呼で発呼し（ステップＳ３０４）、そうでない場合は音声通話呼で発呼する（ステップＳ３０５）。
【００３６】
なお、相手先電話番号の設定（ステップＳ３０１）と、通話開始キーの操作及びその押下時間の判定（ステップＳ３０２及びステップＳ３０３）の順序は、逆でも良い。
【００３７】
このような第１実施形態の携帯テレビ電話装置によれば、発信時に音声通話とテレビ通話の選択操作に必要となるキーやメニュー操作手順を増やすことなく、かつ、従来の音声のみの携帯電話装置の通話開始操作と同じキーを用いて通話の選択及び開始操作が可能である。このため、分りやすく簡単な操作でテレビ通話を行うか音声通話を行うかいずれかを選択して通話を開始することができる。
【００３８】
なお、例えばテレビ通話の伝送速度が３２ｋｂｐｓと６４ｋｂｐｓが選択可能な携帯テレビ電話装置等３つ以上の通話モードを選択可能な携帯テレビ電話においては、規定時間を２つ以上持つように構成しても良い。例えば、１秒未満だと音声通話、１秒以上２秒未満だと３２ｋｂｐｓのテレビ通話、２秒以上だと６４ｋｂｐｓのテレビ通話を行うように３つ以上の通話モードを切り替えられるようにする。同様に規定時間内の押下回数に応じて、１回だと音声通話、２回だと３２ｋｂｐｓのテレビ通話、３回以上だと６４ｋｂｐｓのテレビ通話を行うように、３つ以上の通話モードを切り替えられるように構成しても良い。
【００３９】
また、利用者が通常設定メニューから壁紙や着信音等を設定するのと同様に、上記手順における規定時間や規定回数を設定できるように構成しても良い。同様に、テレビ通話／音声通話の判定条件として押下時間を用いるか、規定時間内に２回以上押下する等の時間と押下回数を併せた条件を用いるか等を設定できるように構成しても良い。
【００４０】
また、同様に設定メニューでテレビ通話／音声通話の判定条件を切り替えられるように構成しても良い。
【００４１】
（第２実施形態）
図４及び図５を参照して、本発明の第２実施形態に係る携帯テレビ電話装置の着信時の動作を説明する。但し、第２実施形態における装置構成は図１に示した第１実施形態と同様であるため図示は省略する。
【００４２】
図４は第２実施形態の携帯テレビ電話装置の着信動作手順（第１例）を示したフローチャートである。
【００４３】
この第１例では、テレビ通話着信時に、通話開始キーを規定時間（例えば２秒）以上押下すると、音声と動画像の送受信を行う通常のテレビ通話を行い、２秒未満の押下の場合は音声と動画像を受信するが送信は音声のみ（カメラからの動画像の送信はオフ）のテレビ通話を行うように設定してあるものとする。
【００４４】
携帯テレビ電話装置１の制御部１２は、テレビ通話着信時に（ステップＳ４００）、利用者により通話開始操作のために前記外部入力部１６の一部である通話開始キーが押下されたかを判断する（ステップＳ４０１）。通話開始キーが押下されると、制御部１２は２秒以上押下されているかどうかを時間計測部１３を用いて判断する（ステップＳ４０２）。ここで、２秒以上押下されている場合は音声と動画像の送受信を行う通常のテレビ通話を行い（ステップＳ４０３）、そうでない場合は音声と動画像を受信するが送信は音声のみ（カメラからの動画像の送信はオフ）のテレビ通話を行う（ステップＳ４０４）。
【００４５】
図５は第２実施形態の携帯テレビ電話装置の着信動作手順（第２例）を示したフローチャートである。
【００４６】
この第２例では、テレビ通話着信時に、通話開始キーを規定時間（例えば２秒）以内に規定回数（例えば２回）以上押下すると音声と動画像の送受信を行う通常のテレビ通話を行い、最初に押下されてから２秒以内に２回目以降の押下操作が無い場合は音声と動画像を受信するが、送信は音声のみ（カメラからの動画像の送信はオフ）のテレビ通話を行うように設定してあるものとする。
【００４７】
携帯テレビ電話装置１の制御部１２は、テレビ通話着信時に（ステップＳ５００）、利用者により通話開始操作のために前記外部入力部１６の一部である通話開始キーが押下されたかを判断する（ステップＳ５０１）。通話開始キーが押下されると、制御部１２は２秒以内に２回目の押下操作があったかどうかを時間計測部１３を用いて判断する（ステップＳ５０２）。ここで、２秒以内に２回目の押下操作があった場合は音声と動画像の送受信を行う通常のテレビ通話を行い（ステップＳ５０３）、そうでない場合は音声と動画像を受信するが送信は音声のみ（カメラからの動画像の送信はオフ）のテレビ通話を行う（ステップＳ５０４）。
【００４８】
このような第２実施形態の携帯テレビ電話装置によれば、テレビ通話着信時に動画像送信のオン／オフの選択操作に必要となるキーやメニュー操作手順を増やすことなく、かつ、従来の音声のみの携帯電話装置の通話開始操作と同じキーを用いて着信時のモードの選択操作が可能である。このため、簡単で分りやすい操作によって音声と動画像の両方を送受信するモードと、音声と動画像の両方を受信しかつ音声のみを送信するモードとを切り換えることができる。
【００４９】
なお、利用者が通常設定メニューから壁紙や着信音等を設定するのと同様に、上記手順における規定時間や規定回数を設定できるように構成しても良い。同様に、上記手順における判定条件として、押下時間を用いるか、規定時間内に２回以上押下等の時間と押下回数を併せた条件を用いるか等を設定できるように構成しても良い。また、ステップＳ４０４及びステップＳ５０４においてカメラからの動画像を送信しない替わりに、携帯テレビ電話装置１内のメモリに保存されている静止画や動画等を送信する構成としても良い。これらの静止画や動画等を予め設定メニューから設定できるように構成しても良い。
【００５０】
また、同様に設定メニューでテレビ通話／音声のみのテレビ通話の判定条件を切り替えられるように構成しても良い。
【００５１】
（第３実施形態）
図６を参照して、本発明の第３実施形態に係る携帯テレビ電話装置の通話中の動作を説明する。但し、第３実施形態における装置構成は図１に示した第１実施形態と同様であるため図示は省略する。
【００５２】
図６は第３実施形態の携帯テレビ電話装置の通話中の動作手順を示したフローチャートである。
【００５３】
携帯テレビ電話装置１の制御部１２は、テレビ通話呼で通話中に（ステップＳ６００）、利用者により外部入力部１６の一部である通話開始キーが押下されたかを判断する（ステップＳ６０１）。通話開始キーが押下されると、制御部１２は現在の動画像送信設定がオン／オフのいずれであるかを判断する（ステップＳ６０２）。ここで、現在の動画像送信設定がオンである場合は、カメラからの動画像送信設定をオフし、受信時は動画像と音声の両方を受信するが、送信時は音声のみを送信するテレビ通話に切り替えてテレビ通話を継続する（ステップＳ６０３）。一方、現在の動画像送信設定がオフである場合は、カメラからの動画像送信設定をオンし、音声と動画像の送受信を行う通常のテレビ通話に切り替えてテレビ通話を継続する（ステップＳ６０４）。
【００５４】
このような第３実施形態の携帯テレビ電話装置によれば、テレビ通話着信時に動画像送信のオン／オフの選択操作に必要となるキーやメニュー操作手順を増やすことなく、テレビ通話中の簡単な操作で動画像送信をオンとするかオフとするかを選択して通話することが可能となる。
【００５５】
なお、ステップＳ６０１で行う通話開始キー押下の判定には、第１実施形態のステップＳ２０３（図２参照）とステップＳ３０３（図３参照）や、第２実施形態のステップＳ４０２（図４参照）とステップＳ５０２（図５参照）で行うように、押下時間や規定時間内の押下回数等を用いて判定しても良い。この場合、利用者が通常設定メニューから壁紙や着信音等を設定するのと同様に、判定条件や、判定に用いる規定時間や規定回数を設定できるように構成しても良い。
【００５６】
また、ステップＳ６０３においてカメラからの動画像を送信しない替わりに、携帯テレビ電話装置１内のメモリに保存されている静止画や動画等を送信する構成としても良い。これらの静止画や動画等を予め設定メニューから設定できるように構成しても良い。
【００５７】
なお、本発明は上記実施形態に限定されることなく、その要旨を逸脱しない範囲において、具体的な構成、機能、作用、効果において、他の種々の形態によっても実施することができる。
【００５８】
【発明の効果】
以上説明したように本発明によれば、操作キーやメニュー操作手順等を増やすことなく、簡単な操作でテレビ通話と音声通話の選択、動画像の送信の有無の選択などを行って通話することができる。
【図面の簡単な説明】
【図１】本発明の実施形態に係る携帯テレビ電話装置の構成を示したブロック図
【図２】第１実施形態の携帯テレビ電話装置の発信動作手順（第１例）を示したフローチャート
【図３】第１実施形態の携帯テレビ電話装置の発信動作手順（第２例）を示したフローチャート
【図４】第２実施形態の携帯テレビ電話装置の着信動作手順（第１例）を示したフローチャート
【図５】第２実施形態の携帯テレビ電話装置の着信動作手順（第２例）を示したフローチャート
【図６】第３実施形態の携帯テレビ電話装置の通話中の動作手順を示したフローチャート
【符号の説明】
１  携帯テレビ電話装置
１０  無線通信部
１１  呼制御部
１２  制御部
１３  時間計測部
１４  音声処理部
１５  動画像処理部
１６  外部入力部
１７  音声出力部
１８  音声入力部
１９  画像表示部
２０  撮像部
【図１】
2004260299.tif 000003
【図２】
2004260299.tif 000004
【図３】
2004260299.tif 000005
【図４】
2004260299.tif 000006
【図５】
2004260299.tif 000007
【図６】
2004260299.tif 000008